(57)【要約】【課題】低コストでかつ高い設計自由度で、潜像担持体ドラムに担持される潜像を液体現像剤で現像して得られるトナー像をスクイーズした後に被転写部材に転写することができる画像形成装置および画像形成方法を提供する。【解決手段】１次転写部２によるトナー像のブランケットローラー２１への一次転写処理を仮想水平面ＨＰよりも鉛直方向の下方で行う、いわゆる下部転写構造が採用されている。このため、転写紙の上面にトナー像が転写され、画像面を上にした状態のまま転写紙を搬送することとなる。また、下部転写構造を採用するにあたって、現像ローラー５１、スクイーズローラー６１、７１は仮想水平面ＨＰよりも鉛直方向の上方に配設されている。このため、現像部５およびスクイーズ部６、７を配設する際の空間制約は従来装置に比べて少なくなっている。【選択図】図１
2012194311.tif 000002
【特許請求の範囲】
【請求項１】
潜像が形成される潜像担持体ドラムと、
前記潜像担持体ドラムの回転中心を通る仮想鉛直面に対して垂直な仮想水平面よりも鉛直方向の上方で前記潜像担持体ドラムと当接して前記潜像担持体ドラムに形成された前記潜像をトナー及びキャリア液を含む液体現像剤で現像する現像ローラーを有する現像部と、
前記仮想水平面よりも鉛直方向の上方で前記現像ローラーにより現像された像と当接して前記像をスクイーズするスクイーズローラーを有するスクイーズ部と、
前記仮想水平面よりも鉛直方向の下方で前記スクイーズローラーによりスクイーズされた前記像を被転写部材に転写する転写部と、
を備えることを特徴とする画像形成装置。
【請求項２】
前記潜像担持体を帯電する帯電部と、
前記帯電部で帯電された前記潜像担持体を露光して前記潜像を形成する露光部と、
前記スクイーズローラーにバイアス電圧を印加するバイアス電圧発生部と、を備え、
前記スクイーズローラーは、前記仮想鉛直面に対して前記潜像担持体ドラムと前記現像ローラーとが当接する側で前記潜像担持体ドラムと当接する請求項１に記載の画像形成装置。
【請求項３】
前記スクイーズ部は、前記スクイーズローラーに当接して前記スクイーズローラーをクリーニングして液体現像剤を回収するクリーニングブレードを有する請求項１または２に記載の画像形成装置。
【請求項４】
前記帯電部は、前記仮想鉛直面に対して前記潜像担持体と前記現像ローラーとが当接する側で、かつ前記仮想水平面よりも鉛直方向の下方に配設され、
前記転写部は前記仮想鉛直面に対して前記潜像担持体ドラムと前記現像ローラーとが当接する側と反対の側に配設される請求項２または３に記載の画像形成装置。
【請求項５】
前記現像部は、
前記現像ローラーの鉛直方向の下方に配設されて液体現像剤を貯留する貯留部と、
前記貯留部に貯留される液体現像剤を前記現像ローラーに供給する供給部材と、
前記現像ローラーをクリーニングして液体現像剤を回収するクリーニング部と、
前記クリーニング部の鉛直方向の下方に配設されて前記クリーニング部で回収された液体現像剤を貯留する回収部と、
を有する請求項１ないし４のいずれか一項に記載の画像形成装置。
【請求項６】
潜像担持体ドラムに潜像を形成し、
前記潜像担持体ドラムの回転中心を通る仮想鉛直面に対して垂直な仮想水平面よりも鉛直方向の上方に配設される現像ローラーに担持されたトナー及びキャリア液を含む液体現像剤で現像し、
前記仮想水平面よりも鉛直方向の上方に配設されるスクイーズローラーを前記現像ローラーにより現像された像と当接して前記像をスクイーズし、
前記仮想水平面よりも鉛直方向の下方で前記スクイーズローラーによりスクイーズされた前記像を被転写部材に転写することを特徴とする画像形成方法。
【発明の詳細な説明】
【技術分野】
【０００１】
この発明は、キャリア液体およびトナーを含む液体現像剤で現像して画像を形成する画像形成装置および画像形成方法に関するものである。
【背景技術】
【０００２】
従来、帯電している感光体ドラムなどの潜像担持体ドラムに静電潜像を形成し、キャリア液体にトナーを分散した液体現像剤により静電潜像を顕像化してトナー像を形成し、このトナー像を中間転写体を介して用紙に転写して所定の画像を得るようにした液体現像方式の画像形成装置が実用化されている。また、この画像形成装置では、潜像像担持体ドラム上に形成されたトナー像から余分なキャリア液体を含む余剰現像剤やカブリトナーを除去するため、スクイーズローラーなどのスクイーズ部が用いられる。例えば特許文献１に記載の装置では、潜像担持体ドラムの回転方向に沿って現像装置、スクイーズ装置および中間転写ドラムが互いに近接して配設されている。
【先行技術文献】
【特許文献】
【０００３】
【特許文献１】特開２００４−２７１８０４号公報
【発明の概要】
【発明が解決しようとする課題】
【０００４】
上記従来装置では、上記したように現像装置、スクイーズ装置および中間転写ドラムが互いに近接して配設されているため、次のような問題が生じている。すなわち、現像装置は、潜像担持体ドラムに当接する現像ローラーを有するとともに、現像ローラーに液体現像剤を供給する供給部材、クリーニング部材などの構成要素を現像装置内に配設する必要がある。また、スクイーズ装置についても、潜像担持体ドラムに当接するスクイーズローラーを有するとともに、スクイーズローラーから液体現像剤をクリーンニング除去するためのクリーニング部材などの構成要素をスクイーズ装置に配設する必要がある。したがって、現像装置、スクイーズ装置および中間転写ドラムを相互に近接配置しながらも、上記構成要素を配設するための空間を確保する必要がある。そのため、潜像担持体ドラムを大型化するか、あるいは現像ローラーやスクイーズローラーを小径・小型化する必要があり、コストの増加や設計の自由度の低下を招いている。
【０００５】
この発明にかかるいくつかの態様は、低コストでかつ高い設計自由度で、潜像担持体ドラムに担持される潜像を液体現像剤で現像して得られるトナー像をスクイーズした後に被転写部材に転写することができる画像形成装置および画像形成方法を提供することを目的とする。
【課題を解決するための手段】
【０００６】
この発明の第１の態様は、画像形成装置であって、潜像が形成される潜像担持体ドラムと、潜像担持体ドラムの回転中心を通る仮想鉛直面に対して垂直な仮想水平面よりも鉛直方向の上方で潜像担持体ドラムと当接して潜像担持体ドラムに形成された潜像をトナー及びキャリア液を含む液体現像剤で現像する現像ローラーを有する現像部と、仮想水平面よりも鉛直方向の上方で現像ローラーにより現像された像と当接して像をスクイーズするスクイーズローラーを有するスクイーズ部と、仮想水平面よりも鉛直方向の下方でスクイーズローラーによりスクイーズされた像を被転写部材に転写する転写部と、を備えることを特徴としている。
【０００７】
また、この発明の第２の態様は、画像形成方法であって、潜像担持体ドラムに潜像を形成し、潜像担持体ドラムの回転中心を通る仮想鉛直面に対して垂直な仮想水平面よりも鉛直方向の上方に配設される現像ローラーに担持されたトナー及びキャリア液を含む液体現像剤で現像し、仮想水平面よりも鉛直方向の上方に配設されるスクイーズローラーを現像ローラーにより現像された像と当接して像をスクイーズし、仮想水平面よりも鉛直方向の下方でスクイーズローラーによりスクイーズされた像を被転写部材に転写することを特徴としている。
【０００８】
このように構成された発明（画像形成装置および画像形成方法）では、潜像担持体ドラムの回転中心を通る仮想鉛直面に対して垂直な仮想水平面よりも鉛直方向の上方に現像ローラーおよびスクイーズローラーが配設され、潜像担持体ドラムに形成される潜像が現像ローラーに担持された液体現像剤によって現像された像がスクイーズローラーでスクイーズされる。このように仮想水平面よりも鉛直方向の上方側で、現像処理およびスクイーズ処理が実行される。これに対し、転写部によるトナー像の被転写部材への転写は仮想水平面よりも鉛直方向の下方で行われる。したがって、従来装置で発生していた現像部やスクイーズ部を配設する際の空間制約は少なく、低コストでかつ高い設計自由度で現像部、スクイーズ部および転写部を配設することができる。
【０００９】
ここで、潜像担持体を帯電する帯電部と、帯電部で帯電された潜像担持体を露光して潜像を形成する露光部と、スクイーズローラーにバイアス電圧を印加するバイアス電圧発生部と、を備え、スクイーズローラーは、仮想鉛直面に対して潜像担持体ドラムと現像ローラーとが当接する側で潜像担持体ドラムと当接するように構成してもよい。
【００１０】
また、スクイーズ部は、スクイーズローラーに当接してスクイーズローラーをクリーニングして液体現像剤を回収するクリーニングブレードを有してもよい。
【００１１】
また、帯電部は、仮想鉛直面に対して潜像担持体と現像ローラーとが当接する側で、かつ仮想水平面よりも鉛直方向の下方に配設され、転写部は仮想鉛直面に対して潜像担持体ドラムと現像ローラーとが当接する側と反対の側に配設されてもよい。
【００１２】
さらに、現像部は、現像ローラーの鉛直方向の下方に配設されて液体現像剤を貯留する貯留部と、貯留部に貯留される液体現像剤を現像ローラーに供給する供給部材と、現像ローラーをクリーニングして液体現像剤を回収するクリーニング部と、クリーニング部の鉛直方向の下方に配設されてクリーニング部で回収された液体現像剤を貯留する回収部と、を有してもよい。
【図面の簡単な説明】
【００１３】
【図１】本発明にかかる画像形成装置の第１実施形態を示す図。
【図２】感光体ドラムとブランケットローラーとの配置関係を示す図。
【図３】図１に示す画像形成装置の電気的構成の一部を示すブロック図。
【図４】第１実施形態における現像位置およびスクイーズ位置での表面電位の関係を示す図。
【図５】本発明にかかる画像形成装置の第２実施形態を示す図。
【図６】第２実施形態における現像位置およびスクイーズ位置での表面電位の関係を示す図。
【発明を実施するための形態】
【００１４】
図１は本発明にかかる画像形成装置の第１実施形態を示す図であり、図２は感光体ドラムとブランケットローラーとの配置関係を示す図であり、図３は図１に示す画像形成装置の電気的構成の一部を示すブロック図である。この画像形成装置は、感光体ドラム１の回転中心を通る仮想水平面ＨＰの鉛直方向の下方で、感光体ドラム１に担持される像を１次転写部２のブランケットローラー２１に転写し、さらにブランケットローラー２１に転写された像を転写紙に転写する、いわゆる下部転写構造を有している。なお、図１の画像形成装置は後述するように単色のトナー像を形成して転写紙に転写するものであり、同装置を複数台、例えば４台配列してカラー印刷システムを構成することが可能である。もちろん、図１の装置は単独でモノクロの画像形成装置としても機能する。
【００１５】
この画像形成装置では、感光体ドラム１は、アモルファスシリコン感光体などの感光体材料からなる感光層を表面に有している。そして、その回転軸が主走査方向Ｘ（図１の紙面に対して垂直な方向）に平行もしくは略平行となるように感光体ドラム１は配置されており、図１中矢印Ｄ１の方向に所定速度で回転駆動される。
【００１６】
感光体ドラム１の周囲には、感光体ドラム１表面を所定の電位に帯電させる帯電部３と、感光体ドラム１表面を画像信号に応じて露光することで静電潜像を形成する露光部４と、該静電潜像をトナー像として顕像化する現像部５と、第１スクイーズ部６と、第２スクイーズ部７と、１次転写部２のブランケットローラー２１と、一次転写後の感光体ドラム１の表面をクリーニングする感光体クリーニング部８とが、それぞれこれらの順に感光体ドラム１の回転方向Ｄ１（図１では、反時計回り）に沿って配設されている。
【００１７】
帯電部３は、６個の帯電器３１を有しており、図１紙面において、感光体ドラム１の回転中心を通る仮想鉛直面ＶＰに対して右側で、しかも感光体ドラム１の回転中心を通る仮想水平面ＨＰに対して鉛直方向の下方に配されている。これらの帯電器３１は感光体ドラム１の表面に接触しないものであり、感光体ドラム１の回転方向Ｄ１に沿って６個配列されている。そして、装置全体を制御する制御部９１からの帯電指令に応じて帯電バイアス発生部９２が帯電器３１に帯電バイアスを印加して感光体ドラム１の表面を所定の表面電位Ｖ０に帯電させる（図４参照）。帯電器３１としては、例えば従来周知慣用のコロナ帯電器を用いることができる。コロナ帯電器にスコロトロン帯電器を用いた場合には、スコロトロン帯電器のチャージワイヤには、ワイヤ電流が流されるとともに、グリッドには直流（ＤＣ）のグリッド帯電バイアスが印加される。このように帯電器３１によるコロナ放電で感光体ドラム１が帯電されることで、感光体ドラム１の表面の電位が略均一の電位に設定される。
【００１８】
露光部４は、図１紙面において仮想鉛直面ＶＰに対して右側で、しかも仮想水平面ＨＰ上に配されて外部装置から与えられた画像信号に応じて光ビームにより感光体ドラム１の表面のうち画像領域を露光し、当該画像領域の表面電位を電位Ｖ１に変化させる。こうして、感光体ドラム１の表面に対して画像信号に対応する静電潜像を形成する（図４参照）。本実施形態では、この露光部４として発光素子を主走査方向（図１紙面に垂直な方向）に配列したラインヘッドを用いているが、これ以外に半導体レーザからの光ビームをポリゴンミラーにより主走査方向に走査させるもの等を用いてもよい。
【００１９】
図４は第１実施形態における現像位置およびスクイーズ位置での表面電位の関係を示す図であり、同図中の左側グラフは表面電位Ｖ０に帯電された感光体ドラム１の表面電位の減衰特性を示すものであり、同図中の右側グラフは、感光体ドラム１の表面に対し、現像ローラー５１が当接する現像位置Ｐｄｖ、第１スクイーズ部６の第１スクイーズローラー６１が当接する第１スクイーズ位置Ｐｓ１１および第２スクイーズ部７の第２スクイーズローラー７１が当接する第２スクイーズ位置Ｐｓ１２での感光体ドラム１の表面電位を示している。同図に示すように、感光体ドラム１の非画像領域の表面電位は帯電位置から離れるにしたがって減衰している。
【００２０】
こうして形成された静電潜像に対して現像部５から液体現像剤が付与されて、静電潜像がトナーにより現像される。本実施形態では、絶縁性液体を主成分とするキャリア液体内に、着色された樹脂粒子をトナー粒子として概略重量比２５％程度に分散させた液体現像剤を用いており、トナー粒子は電界中を電気泳動可能なように電荷を有している。なお、この現像剤濃度については、上記２５％に限定されるものではなく、１０〜３０％であってもよい。また、キャリア液体としては、例えばIsopar(エクソン社商標)、シリコンオイル、ノルマルパラフィンオイルなどが使用される。また、電気抵抗値は１０１０Ω・ｃｍ以上、望ましくは１０１２Ω・ｃｍ以上が好ましい。というのも、抵抗が低い場合には、トナー粒子が電気泳動する過程で余剰な電流が流れ、移動に必要な電界が維持できない可能性があるからである。さらに、こうして調製された液体現像剤の粘度は、トナー粒子を構成する樹脂や分散剤・荷電制御剤で左右されるが、５０〜５００［ｍＰａ・ｓ］の粘度を示す液体現像剤を用いることができ、本実施形態では４００［ｍＰａ・ｓ］の液体現像剤を用いている。
【００２１】
この画像形成装置の現像部５は、図１紙面において仮想鉛直面ＶＰに対して右側で帯電部３の鉛直方向の上方に配されており、現像ローラー５１と、中間塗布ローラー５２と、アニロックスローラー５３と、上記した液体現像剤を貯蔵する現像剤容器５４と、液体現像剤に対し帯電・圧縮作用を施すトナー圧縮コロナ発生器５５とを主な構成として有している。これらの主要構成のうち現像ローラー５１は円筒状の部材であり、鉄等金属製の内芯の外周部に、ポリウレタンゴム、シリコンゴム、ＮＢＲなどの弾性層を設け、さらに外周部である現像ローラー表層にはＰＦＡチューブや樹脂コーティングされたものである。この現像ローラー５１は現像用モーター（図示省略）に接続され、図１紙面において時計回りＤ５１に回転駆動されて感光体ドラム１に対してウィズ回転する。また、この現像ローラー５１は現像バイアス発生部９３と電気的に接続されており、適当なタイミングで現像バイアスが印加されるように構成されている。
【００２２】
また、この現像ローラー５１の鉛直方向の下方に、現像ローラー５１に対して液体現像剤を供給するために中間塗布ローラー５２とアニロックスローラー５３とが設けられており、アニロックスローラー５３から中間塗布ローラー５２を介して現像ローラー５１へ液体現像剤が供給される。これらのうち中間塗布ローラー５２は現像ローラー５１と同様に金属製内芯の外周部に弾性層を設けたものであるのに対し、アニロックスローラー５３は液体現像剤を担持し易いように表面に微細且つ一様に彫刻された螺旋溝などによる凹部パターンが形成されたローラーである。もちろん、アニロックスローラー５３を、現像ローラー５１や中間塗布ローラー５２と同様に、金属の芯金にウレタン、ＮＢＲなどのゴム層を巻き付けたものや、ＰＦＡチューブを被せたものなどを用いてもよい。これら中間塗布ローラー５２およびアニロックスローラー５３は上記現像用モーターに接続され、図１紙面においてそれぞれ時計回りおよび反時計回り回転される。したがって、中間塗布ローラー５２は現像ローラー５１に対してカウンター方向に回転し、アニロックスローラー５３は中間塗布ローラー５２に対してウィズ方向に回転する。このように、本実施形態では、いわゆる３ローラー構成により液体現像剤を現像剤容器５４の貯留部５４２から汲み上げて現像ローラー５１に供給しているため、液体現像剤がニップを複数回通過することで、液体現像剤を十分に練ることができ、現像ローラー５１にて均一な液体現像剤の膜を形成することが可能となる。もちろん、この形態に限らず、アニロックスローラー５３から直接現像ローラー５１へ液体現像剤を塗布する構成（２ローラー構成）としてもよい。
【００２３】
また、現像ローラー５１に対してクリーニングローラー５１１が当接されるとともに、このクリーニングローラー５１１に対してローラークリーニングブレード５１２が当接されており、現像ローラー５１のクリーニング処理を行う。すなわち、現像ローラー５１の表面が感光体ドラム１と当接して現像ニップを形成している現像位置に対し、現像ローラー回転方向Ｄ５１の下流側にクリーニングローラー５１１が現像ローラー５１の表面と当接しながら図１紙面において時計回り回転される。したがって、クリーニングローラー５１１は現像ローラー５１に対してカウンター方向に回転し、現像に寄与せずに現像ローラー５１に残存する液体現像剤を除去する。また、このクリーニングローラー５１１の表面にローラークリーニングブレード５１２が当接して上記液体現像剤をローラークリーニングブレード５１２の鉛直方向の下方に掻き落として除去する。また、中間塗布ローラー５２に対してクリーニングブレード５２１が当接されており、現像に寄与せずに中間塗布ローラー５２に残存する液体現像剤を中間塗布ローラー５２の表面からクリーニングブレード５２１の鉛直方向の下方に掻き落として除去する。なお、これらのクリーニングブレード５１２、５２１により掻き落とされた液体現像剤は、現像ローラー５１の鉛直方向の下方に配設される現像剤容器５４の回収部５４１に案内されて回収される。このように、本実施形態では、クリーニングローラー５１１とローラークリーニングブレード５１２とで本発明の「クリーニング部」が構成されている。なお、クリーニング部の構成はこれに限定されるものではなく、例えばクリーニングブレード５１２を直接現像ローラー５１の表面に当接してクリーニングするように構成してもよい。
【００２４】
一方、アニロックスローラー５３に対して規制部材５３１が当接されている。この規制部材５３１として、金属製あるいは表面に弾性体を被覆して構成した弾性を有する部材を用いることができるが、本実施形態にかかる規制部材５３１は、アニロックスローラー５３の表面に当接するウレタンゴム等からなるゴム部と、該ゴム部を支持する金属等の板で構成されている。そして、規制部材５３１は、アニロックスローラー５３によって担持搬送されてきた液体現像剤の膜厚や量などを規制調整し、現像ローラー５１に供給する液体現像剤の量を調整する機能を有している。また、規制部材５３１により掻き取られた液体現像剤は現像剤容器５４の貯留部５４２に戻される。なお、この貯留部５４２には撹拌部材５４３が配置されており、図示省略するモーターにより回転し、貯留部５４２内で液体現像剤を撹拌する。
【００２５】
上記のようにして、液体現像剤が供給された現像ローラー５１は中間塗布ローラー５２の表面とは逆方向に移動するように回転すると共に、感光体ドラム１の表面とは同方向に移動するように回転する。なお、トナー像を形成するため、現像ローラー５１の回転方向は、その表面が感光体ドラム１の表面と同方向に移動するようにウィズ回転する必要があるが、中間塗布ローラー５２に対しては、逆方向、或いは、同方向、どちらに移動する構成であってもよい。
【００２６】
また、現像ローラー５１の回転方向に沿ってトナー圧縮コロナ発生器５５が配置されている。より詳しくは、現像位置に対し、現像ローラー回転方向Ｄ５１の上流側にトナー圧縮コロナ発生器５５が配置されている。このトナー圧縮コロナ発生器５５は、現像ローラー５１の表面のバイアスを増加させる電界印加手段であり、現像ローラー５１によって搬送される液体現像剤のトナーは、このトナー圧縮コロナ発生器５５と近接する位置で電界が印加され、帯電、圧縮が施される。なお、このトナー帯電、圧縮には、電解印加によるコロナ放電に代えて、接触して帯電させるコンパクションローラーを用いてもよい。
【００２７】
感光体ドラム１の回転方向Ｄ１において現像位置の下流側に、第１スクイーズ部６が配置されるとともに、さらに第１スクイーズ部６の下流側に第２スクイーズ部７が配置されている。この実施形態では、第１スクイーズ部６のスクイーズローラー６１および第２スクイーズ部７のスクイーズローラー７１はいずれも図１紙面において仮想鉛直面ＶＰに対して左側で、かつ仮想水平面ＨＰに対して鉛直方向の上方に配されている。
【００２８】
この第１スクイーズ部６では、不図示のバネにより感光体ドラム１方向に付勢されたスクイーズローラー６１が設けられている。すなわち、スクイーズローラー６１が感光体ドラム１と当接する第１スクイーズ位置Ｐｓ１１は、感光体ドラム１の鉛直方向の上方で仮想鉛直面ＶＰと交差する最上位置ＴＰよりも低く、しかも仮想鉛直面ＶＰに対して現像ローラー５１の配設側（図１の右側）と反対側（同図の左側）となっている。そして、その第１スクイーズ位置でスクイーズローラー６１は感光体ドラム１の表面上に形成されたトナー像と当接しながら図示しないモーターにより回転駆動されてトナー像の余剰現像剤を除去する。また、本実施形態ではスクイーズ効率を高めるために、スクイーズローラー６１に対して第１スクイーズバイアス発生部９４が電気的に接続されており、適当なタイミングで第１スクイーズバイアスが印加されるように構成されている。また、スクイーズローラー６１の表面に対してクリーニングブレード６２が当接し、ローラー表面に付着する液体現像剤を掻き取る。そして、こうして掻き取られた液体現像剤は回収部材６３に回収される。
【００２９】
また、第２スクイーズ部７では、感光体ドラム１の回転方向Ｄ１において第１スクイーズ位置の下流側の第２スクイーズ位置Ｐｓ１２でスクイーズローラー７１が感光体ドラム１の表面上に形成されたトナー像と当接しながら回転してトナー像の余剰キャリア液体やカブリトナーを除去する。また、本実施形態ではスクイーズ効率を高めるために、第１スクイーズ部６と同様に、スクイーズローラー７１に対して第２スクイーズバイアス発生部９５が電気的に接続されており、適当なタイミングで第２スクイーズバイアスが印加されるように構成されている。また、スクイーズローラー７１の表面に対してクリーニングブレード７２が当接し、ローラー表面に付着する液体現像剤を掻き取る。そして、こうして掻き取られた液体現像剤はガイド部材７３により感光体ドラム１から離れる方向に案内され、ガイド部材７３の鉛直方向の下方に配置された回収部材７４に回収される。
【００３０】
第１および第２スクイーズ部６、７を通過してきた感光体ドラム１には装置外部から与えられた画像信号に対応するトナー像が形成されており、一次転写位置ＴＲ１でブランケットローラー２１に転写される。このブランケットローラー２１を含む転写部２は、図１紙面において仮想鉛直面ＶＰに対して左側で、かつ仮想水平面ＨＰに対して鉛直方向の下方に配されている。この転写部２は、ブランケットローラー２１と、ブランケットローラー２１にキャリア液体を塗布するキャリア塗布機構２２と、ブランケットローラー２１のクリーニング機構２３と、二次転写ローラー２４とを有している。
【００３１】
ブランケットローラー２１は、図２に示すように全体的には円筒形状を有し、その外周面の一部に凹部２１１が設けられている。この凹部２１１は、円筒形のローラー基材２１２に対して外周面の一部を感光体ドラム１の回転軸方向Ｘに切り欠いてなるものである。ただし、このローラー基材２１２の回転軸方向Ｘの両端部２１３では、凹部２１１が形成されておらず、いわゆるベアラとして機能する。すなわち、ブランケットローラー２１の凹部２１１が感光体ドラム１側に向いているときに、ローラー基材２１２の両端部２１３が感光体ドラム１側に取り付けられた当接部材（図示省略）に当接してブランケットローラー２１の凹部２１１内に配設された部材が感光体ドラム１と当接することを防止している。
【００３２】
また、ローラー基材２１２の外周面では凹部２１１の内部に相当する領域を除く表面領域にゴムや樹脂などの弾性材料により形成された弾性シートが巻き付けられており、この弾性シートにより弾性層２１４が形成されている。さらに、弾性層２１４のうち回転軸方向Ｘの中心部にはブランケットシート２１５が巻き付けられている。このため、ブランケットローラー２１の外周面のうち凹部２１１を除く領域に形成された弾性層２１４が感光体ドラム１に対向する位置にあるとき、弾性層２１４が感光体ドラム１に押し付けられて一次転写ニップが形成されて感光体ドラム１に担持されるトナー像がブランケットシート２１５に転写される。この一次転写ニップの形成位置が一次転写位置ＴＲ１となる。なお、ブランケットローラー２１の凹部２１１が感光体ドラム１と対向した状態では、一時的に一次転写ニップは消失することになる。
【００３３】
この実施形態では、一次転写位置ＴＲ１は、鉛直方向での感光体ドラム１の最下位置、つまり感光体ドラム１の鉛直方向の下方で仮想鉛直面ＶＰと交差する位置ＢＰに対し、感光体ドラム１の回転方向Ｄ１の上流側に設定されている。また、ブランケットローラー２１は図示を省略するモーターと接続されており、図１紙面において時計回りＤ２１に回転駆動されて感光体ドラム１に対してウィズ回転する。こうして感光体ドラム１に担持されるトナー像が一次転写位置ＴＲ１でブランケットローラー２１のブランケットシート２１５に一次転写される。
【００３４】
また、ブランケットローラー２１の回転方向Ｄ２１における一次転写位置ＴＲ１の下流側でブランケットローラー２１に対し、二次転写ローラー２４が当接しながらウィズ回転して二次転写ニップを形成する。この二次転写ローラー２４も、ブランケットローラー２１と同様に、凹部２４１が設けられている。この凹部２４１には、転写材を把持するための把持部（図示省略）が配設されている。なお、把持部の構成および動作については、例えば特開２０１０−１７０００５号公報などに記載された従来構造を採用することができ、図示を省略する搬送部により搬送されている転写紙の先端部を把持し、次のようにして形成される二次転写位置ＴＲ２に給紙する。
【００３５】
図１に示すように、二次転写ローラー２４の凹部２４１を除く周面が、ブランケットローラー２１の凹部２１１を除く周面と当接して二次転写ニップを形成する。この二次転写ニップの形成位置が二次転写位置ＴＲ２となっている。そして、把持部で把持された転写紙が二次転写位置ＴＲ２に給紙されて二次転写ニップを通過することでブランケットローラー２１のブランケットシート２１５に転写されたトナー像が転写紙に二次転写される。こうして、上記した液体現像剤を用いた像が転写紙に印刷される。なお、二次転写ローラー２４の凹部２４１が二次転写位置ＴＲ２に位置するときには、ブランケットローラー２１の凹部２１１も二次転写位置ＴＲ２に位置して二次転写ローラー２４の凹部２４１に設けられた把持部との干渉を防止している。
【００３６】
また、ブランケットローラー２１の回転方向Ｄ２１において二次転写位置ＴＲ２の下流側に、キャリア塗布機構２２が配置されて二次転写後のブランケットローラー２１の表面にキャリア液体を塗布する。このキャリア液体の塗布処理を行うために、キャリア塗布機構２２は、ブランケットローラー２１に対してウィズ回転するキャリア塗布ローラー２２１と、キャリア液体を貯蔵するキャリア貯蔵部材２２２と、キャリア貯蔵部材２２２からキャリア液体を汲み上げてキャリア塗布ローラー２２１に供給するキャリア汲み上げローラー２２３とを有している。
【００３７】
ブランケットローラー２１の回転方向Ｄ２１においてキャリア塗布機構２２の下流側でかつ一次転写位置ＴＲ１の上流側にクリーニング機構２３が配置されて一次転写直前にブランケットローラー２１の表面をクリーニングする。このクリーニング処理を行うために、クリーニング機構２３は、ブランケットローラー２１に対してカウンター方向に回転するクリーニングローラー２３１と、クリーニングローラー２３１に当接してクリーニングローラー２３１をクリーニングするクリーニングブレード２３２と、クリーニングブレード２３２により掻き取られたトナーやキャリア液体を回収する回収部材２３３とを有している。
【００３８】
感光体ドラム１の回転方向Ｄ１において一次転写位置ＴＲ１の下流側で、かつ帯電位置の上流側に、感光体クリーニング部８が配置されている。この感光体クリーニング部８は、クリーニングブレード８１と、感光体ドラム１の最下位置ＢＰから垂れ落ちる液体現像剤を受ける現像剤受け部材８２と、現像剤受け部材に受け止められた現像剤を回収する回収部材８３と、これらクリーニングブレード８１、現像剤受け部材８２および回収部材８３を一体的に支持する支持部材８４とを有している。そして、この支持部材８４は回動軸８５を回動中心として回動自在となっている。
【００３９】
また、支持部材８４にはバネ部材（図示省略）が接続されて図１紙面において反時計回りに支持部材８４を付勢し、クリーニングブレード８１を感光体ドラム１から離間する方向に作用している。一方、支持部材８４の反感光体ドラム側（図１の右側）の端部には係合部８４１が突設されており、図示を省略する可動片が係合部８４１を上記付勢力よりも大きな応力で押し下げると、支持部材８４は図１紙面において時計回りに回動させられ、これによりクリーニングブレード８１は感光体ドラム側に移動してクリーニングブレード８１の先端部が感光体ドラム１の最下位置ＢＰと当接する。これにより感光体ドラム１に残留する液体現像剤がクリーニング除去される。なお、こうしてクリーニングブレード８１により掻き取られた液体現像剤は感光体ドラム１の最下位置ＢＰの鉛直下方に配置された現像剤受け部材８２により受け止められ、さらに現像剤受け部材８２の傾斜面に沿って回収部材８３の内部に流れ落ちて貯蔵される。
【００４０】
以上のように、第１実施形態では、１次転写部２によるトナー像のブランケットローラー２１への一次転写処理を仮想水平面ＨＰよりも鉛直方向の下方で行う、いわゆる下部転写構造が採用されている。このため、転写紙の上面にトナー像が転写され、画像面を上にした状態のまま転写紙を搬送することとなる。したがって、トナー像を安定して形成することができ、また画像面に触れることなく転写紙を搬送することができる。
【００４１】
また、下部転写構造を採用するにあたって、現像処理を行う現像ローラー５１、ならびにスクイーズ処理を行う第１スクイーズローラー６１および第２スクイーズローラー７１については、仮想水平面ＨＰよりも鉛直方向の上方に配設している。このため、現像部５およびスクイーズ部６、７を配設する際の空間制約は従来装置に比べて少なく、低コストでかつ高い設計自由度で現像部５、スクイーズ部６、７および一次転写部２を配設することができる。
【００４２】
また、上記のように構成された画像形成装置では、感光体ドラム１の最下位置ＢＰから自重により鉛直方向の下方に落下することがあるが、一次転写部２のブランケットローラー２１は、図１紙面において仮想鉛直面ＶＰに対して左側に配置されているため、感光体ドラム１の最下位置ＢＰから垂れ落ちてくる液体現像液がブランケットローラー２１に付着するのを確実に防止することができ、液垂れ付着による画質低下を防ぐことができる。なお、本実施形態では、最下位置ＢＰから自重により鉛直方向の下方に落下する液体現像剤については、最下位置ＢＰの鉛直方向の下方に配設した現像剤受け部材８２で受け止めて回収している。
【００４３】
また、ブランケットローラー２１が図１紙面において仮想鉛直面ＶＰに対して左側に配設され、しかも現像部５が図１紙面において仮想鉛直面ＶＰに対して右側で仮想水平面ＨＰの鉛直方向の上方に配設されているため、第１実施形態では、感光体ドラム１の回転方向Ｄ５１に沿った感光体ドラム１の全周面の約１／４強の周面に対してクリーニング処理、帯電処理および露光処理を行えばよく、これらのクリーニング部８、帯電部３および露光部４の設計自由度も高くなっている。さらに、第１実施形態では、図１に示すように、クリーニング部８のクリーニングブレード８１が最下位置ＢＰで感光体ドラム１に当接し、露光部４は仮想水平面ＨＰ上に配設されている。したがって、感光体ドラム１の全周面の約１／４の周面に対向する空間、つまり図１紙面において仮想鉛直面ＶＰに対して右側で仮想水平面ＨＰの鉛直方向の下方に位置する比較的広い空間が確保されており、本実施形態では６個の帯電器３１の配設スペースとして用いている。このように帯電器３１の個数を増やすことで、感光体ドラム１の表面電Ｖ０の均一性を高めることができ、また各帯電器３１のワイヤ電流量を少なく設定してワイヤ劣化を効果的に防止することができる。
【００４４】
また、現像部５およびスクイーズ部６、７はいずれも仮想水平面ＨＰよりも鉛直方向の上方に配設されているため、図４の右図に示すように、第１スクイーズ位置Ｐｓ１１での潜像コントラストＶｃ１および第２スクイーズ位置Ｐｓ１２での潜像コントラストＶｃ２が比較的大きく、各スクイーズ位置Ｐｓ１１、Ｐｓ１２でのスクイーズ処理を良好に行うことができ、その結果、優れた画像品質が得られる。
【００４５】
また、スクイーズ部６、７は仮想鉛直面ＶＰに対して現像部５の反対側に配設されている。より詳しくは、図１紙面において、現像部５の現像ローラー５１は仮想鉛直面ＶＰに対して右側に配設される一方、スクイーズ部６は仮想鉛直面ＶＰに対して左側（感光体ドラム１と現像ローラー５１とが当接する側の反対側）に配設されている。このため、次のような作用効果が得られる。すなわち、印字している間に、第１スクイーズローラー６１と感光体ドラム１との当接位置、つまり第１スクイーズ位置Ｐｓ１１では、液体現像剤の液溜りが形成される。この第１スクイーズ位置Ｐｓ１１は感光体ドラム１の鉛直方向の上方で仮想鉛直面ＶＰと交差する最上位置ＴＰよりも低いため、この最上位置ＴＰを乗り越えて現像ローラー５１の配設側に液垂れして現像部５、露光部４、帯電部３を汚染するのを防止することができ、良好な画質で画像を形成することができる。この点に関しては、第２スクイーズ部７についても同様である。
【００４６】
また、スクイーズ部６、７では、スクイーズローラー６１、７１に対してクリーニングブレード６２、７２をそれぞれ当接させ、ローラー表面に付着する液体現像剤を掻き取って回収している。そして、これらの回収液を再利用に供しており、液体現像剤を効率的に使用することでランニングコストの低減が図られている。
【００４７】
さらに、第１実施形態の現像部５では、図１に示すように現像ローラー５１が仮想水平面ＨＰに対して鉛直方向の上方で感光体ドラム１に当接するとともに現像ローラー５１の液体現像剤の供給および現像ローラー５１からの液体現像剤の回収を次のように行っている。すなわち、現像ローラー５１の鉛直方向の下方に配設された現像剤容器５４の貯留部５４２に貯留された液体現像剤がアニロックスローラー５３によって汲み上げられ、さらに中間塗布ローラー５２を介して現像ローラー５１に供給される。一方、クリーニングローラー５１１およびローラークリーニングブレード５１２によって現像ローラー５１から液体現像剤を回収するとともに、その回収された液体現像剤が自重によって鉛直方向の下方に落下または滴下し、現像剤容器５４の回収部５４１に回収される。したがって、液体現像剤の搬送のために特別な機構やポンプなどの搬送専用の機構やポンプ等を設ける必要がなく、現像部５での液体現像剤の流動を低コストで行うことができる。
【００４８】
なお、本発明は上記した実施形態に限定されるものではなく、その趣旨を逸脱しない限りにおいて上述したもの以外に種々の変更を行うことが可能である。例えば、上記第１実施形態では、外周面の一部に凹部２１１が設けられたブランケットローラー２１が本発明の「被転写部材」として用いられているが、これとは異なる構成のブランケットローラーを用いた装置に対して本発明を適用することができる。例えば図５に示すように円筒ドラム形状のブランケットローラー２１を本発明の「被転写部材」として用いた画像形成装置（第２実施形態）に対しても本発明を適用することができる。
【００４９】
図５は本発明にかかる画像形成装置の第２実施形態を示す図である。この第２実施形態が第１実施形態と大きく相違する点は、ブランケットローラー２１の構造と、第１スクイーズ位置および第２スクイーズ位置を現像ローラー５１の側に移動させた点とであり、それ以外の構成は基本的に第１実施形態と同一である。したがって、以下の説明では、相違点を中心に説明し、同一構成については同一符号を付して説明を省略する。
【００５０】
この第２実施形態では、第１スクイーズ部６のスクイーズローラー６１は図５紙面において仮想鉛直面ＶＰに対して右側（感光体ドラム１と現像ローラー５１とが当接する側）で、かつ仮想水平面ＨＰに対して鉛直方向の上方に配されている。このようにスクイーズローラー６１は第１実施形態よりも現像ローラー５１に近い位置Ｐｓ２１で感光体ドラム１の表面に当接する。また、第２スクイーズ部７のスクイーズローラー７１は、第１実施形態と同様に、図５紙面において仮想鉛直面ＶＰに対して左側（現像ローラー５１の反対側）で、かつ仮想水平面ＨＰに対して鉛直方向の上方に配されているものの、第１スクイーズ部６のスクイーズローラー６１と同様に、第１実施形態よりも現像ローラー５１に近い位置Ｐｓ２２で感光体ドラム１の表面に当接している。なお、これらの位置関係を示すために、図６においては、第２実施形態でのスクイーズ位置Ｐｓ２１，Ｐｓ２２以外に、第１実施形態でのスクイーズ位置Ｐｓ１１，Ｐｓ１２も併せて図示している。
【００５１】
このように第２実施形態では、スクイーズ位置Ｐｓ２１，Ｐｓ２２が現像位置Ｐｄｖに近づいたことにより、図６の右図に示すように、第１スクイーズ位置Ｐｓ２１での潜像コントラストＶｃ１および第２スクイーズ位置Ｐｓ２２での潜像コントラストＶｃ２がともに第１実施形態よりも大きくなり、各スクイーズ位置Ｐｓ２１、Ｐｓ２２でのスクイーズ処理をさらに良好に行うことができ、その結果、さらに優れた画像品質が得られる。
【００５２】
これら第１および第２スクイーズ部６、７を通過してきた感光体ドラム１には装置外部から与えられた画像信号に対応するトナー像が形成されており、一次転写位置ＴＲ１でブランケットローラー２１に転写される。このブランケットローラー２１を含む転写部２は、図５紙面において仮想鉛直面ＶＰに対して左側で、かつ仮想水平面ＨＰに対して鉛直方向の下方に配されている。この転写部２は、ブランケットローラー２１と、ブランケットローラー２１にキャリア液体を塗布するキャリア塗布機構２２と、ブランケットローラー２１のクリーニング機構２３と、二次転写ローラー２４と、二次転写ローラー２４のクリーニング機構２５とを有している。
【００５３】
ブランケットローラー２１の表面は、鉛直方向での感光体ドラム１の最下位置、つまり感光体ドラム１の鉛直方向の下方で仮想鉛直面ＶＰと交差する位置ＢＰに対し、感光体ドラム１の回転方向Ｄ１の上流側で感光体ドラム１の表面と当接して一次転写ニップを形成している。この一次転写ニップの形成位置が一次転写位置ＴＲ１となる。また、ブランケットローラー２１は図示を省略するモーターと接続されており、図５紙面において時計回りＤ２１に回転駆動されて感光体ドラム１に対してウィズ回転する。こうして感光体ドラム１に担持されるトナー像が一次転写位置ＴＲ１でブランケットローラー２１に一次転写される。
【００５４】
また、ブランケットローラー２１の回転方向Ｄ２１における一次転写位置ＴＲ１の下流側でブランケットローラー２１に対し、二次転写ローラー２４が当接しながらウィズ回転して二次転写ニップを形成する。この二次転写ニップの形成位置が二次転写位置ＴＲ２となる。したがって、図示を省略する搬送部により転写紙が二次転写位置ＴＲ２に給紙されて二次転写ニップを通過することでブランケットローラー２１に転写されたトナー像が転写紙に二次転写される。こうして、上記した液体現像剤を用いた像が転写紙に印刷される。なお、二次転写ローラー２４の表面をクリーニングするため、二次転写ローラー２４の回転方向において二次転写位置ＴＲ２の上流側でクリーニング機構２５が配置されている。クリーニング機構２５は、二次転写ローラー２４に当接して二次転写ローラー２４をクリーニングするクリーニングブレード２５１と、クリーニングブレード２５１により掻き取られたトナーやキャリア液体を回収する回収部材２５２とを有している。
【００５５】
以上のように、第２実施形態においても、第１実施形態と同様に、１次転写部２によるトナー像のブランケットローラー２１への一次転写処理を仮想水平面ＨＰよりも鉛直方向の下方で行う、いわゆる下部転写構造が採用されるとともに、現像処理を行う現像ローラー５１、およびスクイーズ処理を行う第１スクイーズローラー６１および第２スクイーズローラー７１については、仮想水平面ＨＰよりも鉛直方向の上方に配設している。したがて、第２実施形態によれば、第１実施形態と同様の作用効果が得られる。
【００５６】
また、上記実施形態では、第１スクイーズローラー６１が感光体ドラム１の表面と当接する第１スクイーズ位置を仮想鉛直面ＶＰに対して現像ローラー５１の側または反対側に設定しているが、第１スクイーズ位置は仮想鉛直面ＶＰ上であってもよい。
【００５７】
また、上記実施形態では、露光部４を仮想水平面ＨＰ上に配しているが、露光部４の配設位置はこれに限定されるものではなく、仮想水平面ＨＰの鉛直方向の上方または下方に配してもよい。ただし、帯電器３１を複数配設するための空間を得るためには、露光部４を仮想水平面ＨＰ上または仮想水平面ＨＰの鉛直方向の上方に配設するのが望ましい。
【００５８】
また、上記実施形態では、本発明の「被転写部材」としてブランケットローラー２１を用いているが、これ以外に例えばベルト状の中間転写体を用いてもよい。
【符号の説明】
【００５９】
１…感光体ドラム（潜像担持体ドラム）、  ２…一次転写部、  ３…帯電部、  ４…露光部、  ５…現像部、  ６…第１スクイーズ部、  ７…第２スクイーズ部、  ２１…ブランケットローラー（被転写部材）、  ３１…帯電器、  ５１…現像ローラー、  ５２…中間塗布ローラー（供給部材）、  ５３…アニロックスローラー（供給部材）、  ５４…現像剤容器、  ６１…第１スクイーズローラー、  ６２、７２…クリーニングブレード、  ７１…第２スクイーズローラー、  ９４…第１スクイーズバイアス発生部、  ９５…第２スクイーズバイアス発生部、  ５１１…クリーニングローラー（クリーニング部）、  ５１２…ローラークリーニングブレード（クリーニング部）、  ５４１…回収部、  ５４２…貯留部、  ＨＰ…仮想水平面、  ＶＰ…仮想鉛直面
【図１】
2012194311.tif 000003
【図２】
2012194311.tif 000004
【図３】
2012194311.tif 000005
【図４】
2012194311.tif 000006
【図５】
2012194311.tif 000007
【図６】
2012194311.tif 000008